(57)【要約】【課題】複数の外壁面材が上下に並べられた外壁を有する建物を効率的に施工でき、また、外壁に設けられた一時開口を屋内側より効率よく閉じることができる建物の施工方法を提供する【解決手段】この建物の施工方法は、複数の外壁面材５１が上下に並べられる外壁を躯体７の屋外側に設ける建物の施工方法であって、外壁面材および下地材を存在させない一時開口を外壁に形成する工程と、上記一時開口に、当該一時開口の高さよりも高さが低い低外壁面材５０１を、上記躯体７の屋内側から嵌め込む工程と、を含む。【選択図】図６
2020165245.tif 000002
【特許請求の範囲】
【請求項１】
複数の外壁面材が上下に並べられる外壁を躯体の屋外側に設ける建物の施工方法であって、上記外壁面材および下地材を存在させない一時開口を外壁に形成する工程と、上記一時開口に、当該一時開口高さよりも高さの低い低外壁面材を、上記躯体の屋内側から嵌め込む工程と、を含むことを特徴とする建物の施工方法。
【請求項２】
請求項１に記載の建物の施工方法において、上記低外壁面材として、当該低外壁面材の下部側に下部側係合部が形成された外壁面材を用い、上記一時開口に上記低外壁面材を嵌め込む際に、上記下部側係合部を、上記低外壁面材の下側に位置する外壁面材の上部側に係合させることを特徴とする建物の施工方法。
【請求項３】
請求項１または請求項２に記載の建物の施工方法において、上記低外壁面材として、当該低外壁面材の上側に位置する外壁面材の下部側に係合する係合部を備えない外壁面材を用いることを特徴とする建物の施工方法。
【請求項４】
請求項１〜請求項３のいずれか１項に記載の建物の施工方法において、上記低外壁面材の上側に位置する外壁面材として、当該外壁面材の下端が金物で支持される外壁面材を用いることを特徴とする建物の施工方法。
【請求項５】
請求項１〜請求項４のいずれか１項に記載の建物の施工方法において、上記低外壁面材の上側に位置する外壁面材として、上記低外壁面材の上部の屋外側を覆う水切りを配置できる外壁面材を用いることを特徴とする建物の施工方法。
【請求項６】
請求項５に記載の建物の施工方法において、上記水切りの下端が、上記低外壁面材を下地材に固定する固定部材よりも下方に位置することを特徴とする建物の施工方法。
【請求項７】
請求項５または請求項６に記載の建物の施工方法において、上記水切りの下端よりも上側に位置して上方に向くように当該水切りの屋内側に設けられた立上片を、上記低外壁面材の上端に装着される挟持金物における屋外側に位置する部位と、上記低外壁面材の屋外側の面と、の間で挟持することを特徴とする建物の施工方法。
【請求項８】
請求項１〜請求項７のいずれか１項に記載の建物の施工方法において、上記一時開口の上側に位置する外壁面材として、屋内面の上下２箇所で上記躯体側に固定される外壁面材を用いることを特徴とする建物の施工方法。
【請求項９】
請求項１〜請求項８のいずれか１項に記載の建物の施工方法において、複数の外壁面材が上下に並べられて全体で吊り上げ可能とされる施工時構造体を用い、この施工時構造体における一時開口を跨いで上下の外壁面材の下地材に連結される第２下地材を、上記施工時構造体が建物の躯体に固定された後に取り外して一時開口を得る一方、一時開口に上記低外壁面材を上記躯体の屋内側から取り付けた後に、上記低外壁面材の下地材を、上記第２下地材を用いて、上側および下側の外壁面材の下地材に連結することを特徴とする建物の施工方法。
【請求項１０】
複数の外壁面材が上下に並べられる外壁を躯体の屋外側に設ける建物の施工方法に用いられ、上記外壁面材および下地材を存在させない一時開口に取り付けられる低外壁面材であって、当該低外壁面材の下部側に、下側に位置する外壁面材の上部側に係合する係合部を備える一方、当該低外壁面材の上部側は、上側に位置する外壁面材の下部側に係合する係合部の無いフラット部を有することを特徴とする低外壁面材。
【発明の詳細な説明】
【技術分野】
【０００１】
この発明は、複数の外壁面材が上下に並べられた外壁を有する建物の施工方法およびこの施工方法用いることができる低外壁面材に関する。
【背景技術】
【０００２】
特許文献１には、大判化外壁パネルおよびこの大判化外壁パネルを建物の躯体に取り付ける構造が開示されている。大判化外壁パネルは、パネルフレームと、このパネルフレームに取付けられた上下に並ぶ複数枚の、断熱材を含む横長形状の外壁面材とを備える。また、上記パネルフレームは、左右の縦フレーム材および上下端の横フレーム材が矩形に組まれた外周フレーム部と、この外周フレーム部に互いに横幅方向に間隔を開けて配置されて上下端が上下の横フレーム材に接合された複数の縦胴縁とからなる。
【０００３】
また、特許文献２には、足場を組むことなく，建物開口部毎に設置することによって建物開口部の工事をなし得るようにした養生装置が開示されている。
【先行技術文献】
【特許文献】
【０００４】
【特許文献１】特開２０１６−１１３８３９号公報
【特許文献２】特開２００６−１５２６９５号公報
【発明の概要】
【発明が解決しようとする課題】
【０００５】
しかしながら、上記特許文献はいずれも、複数の外壁面材が上下に並べられた外壁を有する建物の効率的な施工方法を開示するものではない。また、外壁に設けられた一時開口をどう閉じるかについて開示しない。
【０００６】
この発明は、上記の事情に鑑み、複数の外壁面材が上下に並べられた外壁を有する建物を効率的に施工でき、また、外壁に設けられた一時開口を屋内側より効率よく閉じることができる建物の施工方法を提供することを課題とする。
【課題を解決するための手段】
【０００７】
この発明の建物の施工方法は、上記の課題を解決するために、複数の外壁面材が上下に並べられる外壁を躯体の屋外側に設ける建物の施工方法であって、上記外壁面材および下地材を存在させない一時開口を外壁に形成する工程と、上記一時開口に、当該一時開口高さよりも高さの低い低外壁面材を、上記躯体の屋内側から嵌め込む工程と、を含むことを特徴とする。
【０００８】
上記方法であれば、上記一時開口の高さよりも高さが低い低外壁面材を上記躯体の屋内側から嵌め込むので、上記一時開口の箇所において、上下外壁面材の嵌合形状が複雑であっても、外壁面を屋内側から形成することができる。
【０００９】
上記低外壁面材として、当該低外壁面材の下部側に下部側係合部が形成された外壁面材を用い、上記一時開口に上記低外壁面材を嵌め込む際に、上記下部側係合部を、上記低外壁面材の下側に位置する外壁面材の上部側に係合させてもよい。これによれば、上記低外壁面材と、この下側に位置する外壁面材との係合が行える。
【００１０】
上記低外壁面材として、当該低外壁面材の上側に位置する外壁面材の下部側に係合する係合部を備えない外壁面材を用いてもよい。
【００１１】
上記低外壁面材の上側に位置する外壁面材として、当該外壁面材の下端が金物で支持される外壁面材を用いてもよい。これによれば、上記低外壁面材の上側に位置する外壁面材の下端側が上記金物で支持される。
【００１２】
上記低外壁面材の上側に位置する外壁面材として、上記低外壁面材の上部の屋外側を覆う水切りを配置できる外壁面材を用いてもよい。これによれば、上記低外壁面材の上部に雨水が入るのを防止できる。
【００１３】
上記水切りの下端が、上記低外壁面材を下地材に固定する固定部材よりも下方に位置してもよい。これによれば、上記水切りで上記固定部材を隠して外観の美観を向上することができる。
【００１４】
上記水切りの下端よりも上側に位置して上方に向くように当該水切りの屋内側に設けられた立上片を、上記低外壁面材の上端に装着される挟持金物における屋外側に位置する部位と、上記低外壁面材の屋外側の面と、の間で挟持してもよい。これによれば、上記水切りが風圧等でふらつくのを低減することができる。
【００１５】
上記一時開口の上側に位置する外壁面材として、屋内面の上下２箇所で上記躯体側に固定される外壁面材を用いてもよい。これによれば、上記一時開口を利用する状態、すなわち、上記一時開口の上側の外壁面材と上記一時開口の下側の外壁面材とが下地材で連結されない状態において、上記一時開口の上側に位置する外壁面材を、上下２箇所で上記躯体側に固定できる。これにより、上記一時開口を利用する状態において、上記一時開口の上側の外壁面材のガタツキを低減できる。
【００１６】
複数の外壁面材が上下に並べられて全体で吊り上げ可能とされる施工時構造体を用い、この施工時構造体における一時開口を跨いで上下の外壁面材の下地材に連結される第２下地材を、上記施工時構造体が建物の躯体に固定された後に取り外して一時開口を得る一方、一時開口に上記低外壁面材を上記躯体の屋内側から取り付けた後に、上記低外壁面材の下地材を、上記第２下地材を用いて、上側および下側の外壁面材の下地材に連結するようにしてもよい。これによれば、第２下地材を無駄なく利用することができる。
【００１７】
また、この発明の低外壁面材は、複数の外壁面材が上下に並べられる外壁を躯体の屋外側に設ける建物の施工方法に用いられ、上記外壁面材および下地材を存在させない一時開口に取り付けられる低外壁面材であって、当該低外壁面材の下部側に、下側に位置する外壁面材の上部側に係合する係合部を備える一方、当該低外壁面材の上部側は、上側に位置する外壁面材の下部側に係合する係合部の無いフラット部を有することを特徴とする。
【発明の効果】
【００１８】
本発明であれば、外壁面材および下地材を存在させないことにより得られる外壁の一時開口に対して、屋内側から外壁面を形成することができるという効果を奏する。
【図面の簡単な説明】
【００１９】
【図１】この発明の実施形態にかかる建物の施工方法で用いられる外壁パネルの施工時構造体を示した背面図である。
【図２】同図（Ａ）は図１の外壁パネルにおける外壁面材の上部および下部の断面を示した説明図であり、同図（Ｂ）は図１の上下に並ぶ外壁面材の嵌め込み箇所を示した説明図である。
【図３】図１の外壁パネルの施工時構造体を地上で組み立てる地組架台の一例を示した正面図である
【図４】図１の外壁パネルの施工時構造体を建物の躯体に取り付けた状態を示した説明図である。
【図５】図１の外壁パネルの施工時構造体を建物の躯体に取り付けるために天秤で吊り上げている状態を示した説明図である。
【図６】この発明の実施形態にかかる建物の施工方法を示す図であって、低外壁面材の一時開口への取り付けを示した説明図である。
【図７】図６の工程に続く工程を示す図であって、低外壁面材の一時開口への取り付けを示した説明図である。
【図８】同図（Ａ）は、低外壁面材の上部が、上側の外壁面材の下部に設けられた水切りで覆われる構造を示した概略の断面図であり、同図（Ｂ）は、挟持金物を示す斜視図である。
【図９】この発明の実施形態にかかる建物の施工方法を示す図であって、低外壁面材の上側の外壁面材を躯体に固定するファスナー等を示した斜視図である。
【発明を実施するための形態】
【００２０】
以下、この発明の実施の形態を添付図面に基づいて説明する。
図１に示すように、この実施形態にかかる建物の施工方法で用いられる外壁パネルの施工時構造体５は、複数の横長の外壁面材５１を上下に並べて下地材である第１下地材（縦胴縁）５２で相互に連結されて一体化された形態で建物の躯体に取り付けられる構造を有する。図１に示す例では、６本の第１下地材５２を備えており、各第１下地材５２は、リップ溝形鋼等の開放断面鋼材或いは角形鋼管などの閉鎖断面鋼材からなる。
【００２１】
上記外壁面材５１は、例えば、図２（Ａ）および図２（Ｂ）に示すように、不燃断熱材５１ａを鋼板５１ｂ、５１ｃで挟み込んだ金属サンドイッチパネルである。２枚の外壁面材５１を上下に並べた場合、下段に位置する外壁面材５１の上端面に形成された横幅方向に長い２か所の凹部５１ｄに、上段に位置する外壁面材５１の下端面に形成された横幅方向に長い２か所の凸部５１ｅが嵌まり込むことにより、上下の外壁面材５１が互いに面外方向に位置ずれしないように組み合わされる。
【００２２】
また、例えば、図３に示す地組架台１を用いることにより、上記複数の外壁面材５１を上下に並べて第１下地材５２で連結した外壁パネルを、当該外壁パネルが取り付けられる建物の躯体の外壁取付箇所とは異なる場所で組み立てることができる。上記地組架台１は、例えば、複数の柱状部材１１と梁状部材１２とを縦横に組んでなるものであるが、その構造については図３に示すものに限定されない。
【００２３】
作業者は、上記第１下地材５２を地組架台１にセットした後に、外壁面材５１をセットし、このセットした上記外壁面材５１の上端部側にビス等をねじ込み、上記外壁面材５１を、先にセットした上記第１下地材５２に固定する。この作業を繰り返すことで外壁パネルの施工時構造体５が作製される。
【００２４】
上記外壁パネルの施工時構造体５では、例えば、上から２段目の外壁面材５１が存在すべき箇所において第１下地材５２が分断されて上下に離間しており、最上位置の外壁面材５１は上側の第１下地材５２に装着され、上から２段目となる外壁面材５１および第１下地材５２は未装着とされ、上から３段目以下では全ての外壁面材５１が下側の第１下地材５２に装着されている。すなわち、この例の外壁パネルの施工時構造体５は、上から２段目の１段のみ外壁面材５１および第１下地材５２が存在しない構造を有する。
【００２５】
そして、上記外壁パネルの施工時構造体５は、図１に示したように、例えば、最上位置の外壁面材５１から６段目となる外壁面材５１に至る縦長さを有する第２下地材５３を備えている。上記第２下地材５３は、上記第１下地材５２が不存在の箇所（一時開口となる箇所）を跨いで、上下に位置する第１下地材５２と接続される。上記第２下地材５３は、上記地組架台１を用いて上記第１下地材５２に取り付けることができる。上記第２下地材５３は、上記第１下地材５２に対して着脱自在に取り付けられており、施工時構造体５が建物の躯体７に取り付けられた後で一旦外せるようになっている。
【００２６】
上記第１下地材５２は、例えば、２つの対向面部およびこれら対向面部を繋ぐ閉鎖面部を有する溝形鋼からなり、上記対向面部の一方の側において外壁面材５１がビス固定されている。
【００２７】
また、図４に示すように、上記外壁パネルの施工時構造体５が取り付けられる建物の躯体７は、例えば、屋根７Ａが支持される屋根梁７１、耐風梁７２、床梁７３等を備えている。また、上記屋根梁７１には、繋ぎ材７１ａが所定のピッチで固定されており、また、繋ぎ材７１ａを貫通させて屋根側耐風梁７２Ａが設けられている。上記外壁パネルの施工時構造体５の建物の躯体７への取り付けにおいては、例えば、上記第１下地材５２の上記対向面部の他方の側が、上記建物の躯体７における屋根側耐風梁７２Ａ、耐風梁７２、床梁７３等に、Ｌアングル等の金具、固定ボルト、高さ調整ボルト等を用いて固定される。
【００２８】
また、例えば、上記第２下地材５３も溝形鋼とされ、その閉鎖面部を上記第１下地材５２の閉鎖面部に対面させることで、上記第１下地材５２の横位置に取り付けられる。上記閉鎖面部には、例えば、所定ピッチでボルト挿通孔が形成されており、このボルト挿通孔に縫い通されたボルトとナットとによって、上記第２下地材５３が上記第１下地材５２に着脱自在に取り付けられる。なお、上記第１下地材５２および上記第２下地材５３が閉鎖断面形状を有する角形鋼管である場合でも、同様のボルトによる取付構造とすることができる。また、上記の着脱自在とするための構造は、ボルトとナットを用いる構造に限らない。
【００２９】
また、外壁パネルの施工時構造体５は、図５に示すように、天秤８を用いて吊り上げることができる。この天秤８は、一方の側に固定部８１を備え、他方の側にカウンターウェイト８２を備える。上記固定部８１は、外壁パネルの施工時構造体５の第１下地材５２、第２下地材５３、外壁面材５１、或いは、これらに仮固定された部材に固定される。天秤８はクレーン等の吊元８３によって吊られる。
【００３０】
建物の施工においては、上記のように吊り上げた外壁パネルの施工時構造体５を上記第１下地材５２によって建物の躯体７に取り付けていく。より具体的には、上記外壁パネルの施工時構造体５における上側の第１下地材５２を、屋根側耐風梁７２Ａに固定し、下側の第１下地材５２を耐風梁７２に固定する。
【００３１】
上記のように、外壁面材５１における第１下地材５２を建物の躯体７に固定した後に、上記第２下地材５３を、上記第１下地材５２から取り外す。上記第１下地材５２は上記のように躯体７側に固定されているので、上記第２下地材５３を上記第１下地材５２から取り外しても、上記外壁面材５１が躯体７から外れることはない。そして、このように上記第２下地材５３を上記第１下地材５２から取り外すことで、外壁面材５１の存在しない箇所において上記第２下地材５３も存在しない一時開口、すなわち、下地材で遮られない施工時利用が可能な開口を形成する。施工時利用としては、例えば、足場の屋内側からの持出がある。
【００３２】
次に、上記一時開口への外壁面材の取り付けを、図６および図７を用いて説明する。なお、上記図６および図７における下地材に対する外壁面材の突出量、耐風梁の位置や鋼材形状等は例示であり、また、先に用いた図４および図５における下地材に対する外壁面材の突出量、耐風梁の位置や鋼材形状等も例示である。これらの図において、上記下地材に対する外壁面材の突出量、耐風梁の位置や鋼材形状等は必ずしも同じにはなっていない。
【００３３】
上記一時開口には、当該一時開口の高さよりも高さが低い低外壁面材５０１を取り付ける。この低外壁面材５０１は、他の外壁面材５１と同様、当該低外壁面材５０１の下部側に、下部側係合部である凹部５１ｄを備えている。一方、上記低外壁面材５０１は、当該低外壁面材５０１の上部側には、上側に位置する外壁面材５１の下部側に係合する係合部（凸部５１ｅ）を備えていない。上記低外壁面材５０１の上部側は、フラット部をなす。上記低外壁面材５０１の上部側は、不燃断熱材５１ａが露呈していてもよい。
【００３４】
上記一時開口には、上記低外壁面材５０１を嵌め込む際には、当該低外壁面材５０１の上側の外壁面材５１と、当該低外壁面材５０１の上部との間に面材間隙間を設けて、上記躯体７の屋内側から嵌め込む。なお、上記面材間隙間は、屋内側から低外壁面材５０１を持ち出す際に低外壁面材５０１の凹部５１ｄと下側の凸部５１ｅ外壁面材５１の凸部５１ｅが干渉しないように、取り付け位置より上方へ移動できる分の鉛直方向のクリアランスを有する。この嵌め込みでは、例えば、上記躯体７の屋内側において、上記低外壁面材５０１と連結する第１下地材５２を揚重機によって持ち上げる。
【００３５】
そして、上記一時開口に上記低外壁面材５０１を嵌め込む際には、図７に示すように、下部側係合部である凹部５１ｄを、当該低外壁面材５０１の下側に位置する外壁面材５１の上部側の凸部５１ｅに係合させる。
【００３６】
また、上記低外壁面材５０１を一時開口に上記躯体７の屋内側から取り付けた後に、上記低外壁面材５０１の第１下地材５２に、一旦取り外しておいた第２下地材５３を連結し、さらに、この第２下地材５３を上側および下側の外壁面材５１の第１下地材５２に連結する。
【００３７】
上記低外壁面材５０１の上側に位置する外壁面材５１は、当該外壁面材５１の下端、すなわち、上記面材間隙間に露呈する下端が、長尺の金物９１で固定される。この金物９１は、例えば、２枚の部材がリベット等で相互に固定されており、図８（Ａ）に示すように、第１下地材５２の屋外側にビス留めされる取付面部９１ａ、この取付面部９１ａから屋外側に延びる第１部位９１ｂ、当該外壁面材５１の屋外側の凹部５１ｄに嵌る第２部位９１ｃ、外壁面材５１の屋外側下端部の屋内側面に対面する第３部位９１ｄ、この第３部位９１ｄの下端から屋内方向に延びる第４部位９１ｅを有する。この金物９１は、施工時構造体５の作製時に、上記第１下地材５２に取り付けられてもよい。上記金物９１は、外壁面材５１の下部を第１下地材５２に固定するための部材である。この金物９１の固定は、例えばビス留めにより行われる。
【００３８】
また、上記低外壁面材５０１の上側に位置する外壁面材５１は、当該外壁面材５１の屋内面の側から上記面材間隙間を通って屋外側に出て、上記低外壁面材５０１の上部の屋外側を覆う水切り９２が配置できる。この水切り９２は、図８（Ａ）に示すように、上記第１下地材５２の屋外側にビス留めされる取付面部９２ａ、この取付面部から上記金物９１の下方側で、屋内側から上記面材間隙間を通って屋外側へ斜め方向に延びる第１部位９２ｂ、この第１部位９２ｂの屋外側端から垂下する第２部位９２ｃ、この第２部位９２ｃの下端から屋内側に曲げられた第３部位９２ｄ、この第３部位９２ｄの屋内側端から屋外側に折り返されて立ち上がり、上記第２部位９２ｃから離間して位置する立上片９２ｅを有する。上記立上片９２ｅは、当該水切り９２の下端よりも上側に位置して上方に向くように当該水切り９２の屋内側に位置する。
【００３９】
また、上記水切り９２の下端は、上記低外壁面材５０１を第１下地材５２に固定するドリルビス等の固定部材５１１よりも下方に位置する。
【００４０】
上記水切り９２の立上片９２ｅが上記低外壁面材５０１の上端の屋外側に当たる状態で、上記低外壁面材５０１の上端部に、短尺のピース物である挟持金物９３を所定間隔で嵌め込む。
【００４１】
上記挟持金物９３は、図８（Ｂ）にも示すように、互いに対向する対向面部９３ａ、９３ｂと、これらを繋ぐ繋ぎ部９３ｃと、を備える。上記対向面部９３ａは、対向面部９３ｂよりも屋外側に位置し、対向面部９３ｂよりも垂下長が短い。対向面部９３ａと対向面部９３ｂの間隔は、上記低外壁面材５０１の厚さよりも、例えば、０．５ｍｍ程度広い。上記挟持金物９３は、上記低外壁面材５０１の上端部に装着することで、上記水切り９２の立上片９２ｅを、当該挟持金物９３の対向面部９３ａと、上記低外壁面材５０１の屋外側の面と、の間で挟持する。
【００４２】
上記低外壁面材５０１の上側に位置する外壁面材５１は、一時開口を利用するとき、すなわち、上記第２下地材５３を上記第１下地材５２から取り外した状態において、連結する第１下地材５２の屋内面の上下２箇所で上記躯体７側に固定される。この実施形態では、ファスナー４によって、第１下地材５２の屋内面の上側が耐風梁７２（屋根側耐風梁７２Ａでも同様）の上側に連結され、クリップ５５によって、第１下地材５２の屋内面の下側が上記耐風梁７２の下側に連結される。
【００４３】
上記クリップ５５は、例えば、短尺で縦長の部材５５ａと、この部材５５ａを第１下地材５２の屋内面に留め付ける螺子５５ｂと、上記部材５５ａを第１下地材５２の屋内面から離間させるスペーサ５５ｃとを備える。上記螺子５５ｂの締め付け状態にて、上記部材５５ａの下部側に設けられており、螺子５５ｂを緩めれば、上記部材５５ａを下方に垂らすことができる。
【００４４】
上記クリップ５５は、螺子５５ｂを締めた状態で、第１下地材５２の屋内側面から離間して上方に突出する。上記クリップ５５による上側の第１下地材５２の連結では、上側の第１下地材５２の屋内面とクリップ５５の部材５５ａとの間で、上記Ｌアングル７２ａの縦片が挟持された状態となる。
【００４５】
上記クリップ５５は、上記施工時構造体５を吊り上げてファスナー４を躯体７側に係合させた後に、上記螺子５５ｂで留めることができる。或いは、上記螺子５５ｂを緩めて上記部材５５ａを下方に垂れ下げた状態で、上記施工時構造体５を吊り上げてファスナー４を躯体７側に係合させることもできる。
【００４６】
また、上記ファスナー４は、例えば、図９に示すように、段状に形状されるか、或いはスペーサを屋内面に配置して段をなす縦面部４１と、上記縦面部４１の下部側に設けられた水平板部４２と、を備えている。上記水平板部４２の横幅は、上記縦面部４１の横幅よりも広くされている。そして、上記縦面部４１の各縁側であって、当該縦面部４１と上記水平板部４２との間には、略三角形状のリブ部４３がそれぞれ溶接等によって設けられている。
【００４７】
上記縦面部４１は、上側の面部を第１下地材５２に接して取り付けると、下側の面部が第１下地材５２から離間して第１下地材５２との間に一定幅の隙間を形成する。上記上側の面部には水平方向に挿通孔が形成されており、この挿通孔に、第１下地材５２の内側から水平方向に突出して設けられたボルト４１ａの螺子部を通し、この螺子部にナット４１ｂを螺合することで、上記ファスナー４を第１下地材５２に固定することができる。
【００４８】
また、上記耐風梁７２上には、上記ファスナー４を受け止める受け部６が設けられる。受け部６は、鋼材等からなる荷重受けプレート６１を備えており、この荷重受けプレート６１上であって上記耐風梁７２の屋外側の縁部には、Ｌアングル６２を備える。上記Ｌアングル６２は、その水平片部６２ａを上記荷重受けプレート６１の上面に接触させて設けられている。また、上記Ｌアングル６２の立上片部６２ｂは屋外側に位置している。上記縦面部４１による上記隙間に上記立上片部６２ｂが入り込むことで、上記施工時構造体５が建物に取り付けられる。
【００４９】
上記ファスナー４の水平板部４２の中央位置（リブ部４３の間）には、ピン挿通孔が形成されている。また、上記水平板部４２の一方の端側位置には、螺子孔が形成されており、この螺子孔には先丸形状の荷重受けボルト４２ｃが上側から螺合される。なお、荷重受けボルト４２ｃにはロックナットやワッシャが装着される。さらに、上記水平板部４２の他の端側位置には、突出螺子挿通孔が形成されている。
【００５０】
そして、上記荷重受けプレート６１には、位置決めピン６１ａおよび突出螺子６１ｂが立設されている。上記突出螺子６１ｂは、螺子部を上側にして上記荷重受けプレート６１に溶接によって固定される。上記位置決めピン６１ａは、上記水平板部４２の上記ピン挿通孔に対応する位置に設けられており、上記突出螺子６１ｂは上記水平板部４２の上記突出螺子挿通孔に対応する位置に設けられている。なお、上記Ｌアングル６２の水平片部６２ａには、上記位置決めピン６１ａおよび突出螺子６１ｂが通る貫通孔が形成されている。一方、上記荷重受けボルト４２ｃに対応する箇所には貫通孔は形成されておらず、上記荷重受けボルト４２ｃの先端は上記水平板部４２の上面に当たる。上記突出螺子６１ｂにナット４２ｅを螺合させることで、下方向の力を上記水平板部４２に与えて調整高さを保持することができる。
【００５１】
上記の施工方法であれば、上記一時開口に、当該一時開口の高さよりも高さが低い低外壁面材５０１を、当該低外壁面材５０１の上側の外壁面材５１と、当該低外壁面材５０１の上部との間に上記面材間隙間を設けて、上記躯体７の屋内側から取り付けるので、上記一時開口の箇所において、外壁面を屋内側から形成することができる。
【００５２】
上記低外壁面材５０１として、当該低外壁面材５０１の下部側に下部側係合部（凹部５１ｄ）が形成された外壁面材５１を用い、上記一時開口に上記低外壁面材５０１を嵌め込む際に、上記下部側係合部（凹部５１ｄ）を、上記低外壁面材５０１の下側に位置する外壁面材５１の上部側（凸部５１ｅ）に係合させると、上記低外壁面材５０１と、この下側に位置する外壁面材５１との通常の係合が行える。
【００５３】
上記低外壁面材５０１の上側に位置する外壁面材５１の下端が金物９１で支持されると、上記低外壁面材５０１の上側に位置する外壁面材５１の下端を上記第１下地材５２に固定できる。
【００５４】
上記低外壁面材５０１の上部の屋外側を覆う水切り９２を、上側の外壁面材５１の下部側で、第１下地材５２に固定して用いるのがよい。これによれば、上記低外壁面材５０１の上部のフラット部に雨水が入るのを防止できる。
【００５５】
上記水切り９２の下端が、上記低外壁面材５０１を第１下地材５２に固定する固定部材５１１よりも下方に位置してもよい。これによれば、上記水切り９２で上記固定部材５１１を隠して外観の美観を向上することができる。
【００５６】
上記水切り９２の立上片９２ｅを、上記低外壁面材５０１の上端に装着される挟持金物９３における屋外側に位置する対向面部９３ａと、上記低外壁面材５０１の屋外側の面と、の間で挟持すると、上記水切り９２が風圧等でふらつくのを低減することができる。
【００５７】
上記一時開口の上側に位置する外壁面材として、屋内面の上下２箇所で上記躯体７側に固定される外壁面材５１を用いてもよい。これによれば、一時開口を利用する状態、すなわち、一時開口の上側の外壁面材５１と上記一時開口の下側の外壁面材５１とが第１、第２下地材５２，５３で連結されない状態において、上記一時開口の上側に位置する外壁面材５１は、上下２箇所で上記躯体７側に固定される。これにより、上記一時開口を利用する状態において、上記一時開口の上側の外壁面材５１のガタツキを低減できる。
【００５８】
また、上記の施工時構造体５を用い、一時開口に上記低外壁面材５０１を上記躯体７の屋内側から取り付けた後に、上記低外壁面材５０１の第１下地材５２を、第２下地材５３を用いて、上側および下側の外壁面材５１の第１下地材５２に連結すれば、第２下地材５３を無駄なく利用することができる。
【００５９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００６０】
１        ：地組架台
４        ：ファスナー
５        ：施工時構造体
６        ：受け部
７        ：躯体
７Ａ      ：屋根
８        ：天秤
１１      ：柱状部材
１２      ：梁状部材
４１      ：縦面部
４１ａ    ：ボルト
４１ｂ    ：ナット
４２      ：水平板部
４２ｃ    ：荷重受けボルト
４２ｅ    ：ナット
４３      ：リブ部
５１      ：外壁面材
５１ａ    ：不燃断熱材
５１ｂ    ：鋼板
５１ｃ    ：鋼板
５１ｄ    ：凹部
５１ｅ    ：凸部
５２      ：第１下地材
５３      ：第２下地材
５５      ：クリップ
５５ａ    ：部材
５５ｂ    ：螺子
５５ｃ    ：スペーサ
６１      ：荷重受けプレート
６１ａ    ：位置決めピン
６１ｂ    ：突出螺子
６２      ：Ｌアングル
６２ａ    ：水平片部
６２ｂ    ：立上片部
７１      ：屋根梁
７１ａ    ：繋ぎ材
７２      ：耐風梁
７２Ａ    ：屋根側耐風梁
７２ａ    ：Ｌアングル
７３      ：床梁
８１      ：固定部
８２      ：カウンターウェイト
８３      ：吊元
９１      ：金物
９１ａ    ：取付面部
９１ｂ    ：第１部位
９１ｃ    ：第２部位
９１ｄ    ：第３部位
９１ｅ    ：第４部位
９２      ：水切り
９２ａ    ：取付面部
９２ｂ    ：第１部位
９２ｃ    ：第２部位
９２ｄ    ：第３部位
９２ｅ    ：立上片
９３      ：挟持金物
９３ａ    ：対向面部
９３ｂ    ：対向面部
９３ｃ    ：繋ぎ部
５０１    ：低外壁面材
５１１    ：固定部材
【図１】
2020165245.tif 000003
【図２】
2020165245.tif 000004
【図３】
2020165245.tif 000005
【図４】
2020165245.tif 000006
【図５】
2020165245.tif 000007
【図６】
2020165245.tif 000008
【図７】
2020165245.tif 000009
【図８】
2020165245.tif 000010
【図９】
2020165245.tif 000011